(57)【要約】【課題】すみなどの床掃除以外の掃除をする際に、アタッチメントの付け替え等の手間を省くことができる電気掃除機を提供すること。【解決手段】掃除機本体１と、把持部８を有する手元グリップ部４と、一端が掃除機本体１に接続され他端がホース接続パイプ１３を介して手元グリップ部４に接続されるホース体５と、一端が手元グリップ部４の一方の側に接続され他端が床用吸込具６に接続される延長パイプ７とを備え、床用吸込具６からホース接続パイプ１３を介して掃除機本体１と連通する通常吸引風路１５を形成した電気掃除機であって、手元グリップ部４の他方の側の端部に把持開放口９を設け、ホース接続パイプ１３を介して掃除機本体１と連通する補助吸引風路１０を形成し、手元グリップ部４にはホース接続パイプ１３を回動自在に連結した。【選択図】        図２
2004166889.tif 000002
【特許請求の範囲】
【請求項１】
掃除機本体と、把持部を有する手元グリップ部と、一端が前記掃除機本体に接続され他端がホース接続パイプを介して前記手元グリップ部に接続されるホース体と、一端が前記手元グリップ部の一方の側に接続され他端が床用吸込具に接続される延長パイプとを備え、前記床用吸込具からホース接続パイプを介して掃除機本体と連通する吸引風路が形成された電気掃除機であって、
前記手元グリップ部の他方の側の端部に把持部開放口を設け、前記ホース接続パイプを介して掃除機本体と連通する補助吸引風路を形成し、前記手元グリップ部に前記ホース接続パイプを回動自在に連結したことを特徴とする電気掃除機。
【請求項２】
ホース接続パイプに、回動または着脱によって風路を切り替える風路切替弁体を設けたことを特徴とする請求項１記載の電気掃除機。
【請求項３】
ホース接続パイプの側壁の一部を手元グリップ部の内壁に接触させて風路切替弁体を構成したことを特徴とする請求項２記載の電気掃除機。
【請求項４】
把持部開放口に、該把持部開放口を開閉する弁体を設けたことを特徴とする請求項１乃至３の何れかに記載の電気掃除機。
【請求項５】
手元グリップ部とホース接続パイプの連結部にロック機構を設けたことを特徴とする請求項１乃至４の何れかに記載の電気掃除機。
【請求項６】
把持部開放口近傍の内壁を延長パイプの床用吸込具の接続側内壁とほぼ同形状としたことを特徴とする請求項１乃至５の何れかに記載の電気掃除機。
【発明の詳細な説明】
【０００１】
【発明の属する技術分野】
本発明は、電気掃除機に係り、さらに詳しくは、すみなどを掃除する際に使用者の手間を省くことができる電気掃除機に関するものである。
【０００２】
【従来の技術】
従来の電気掃除機に、通常の床掃除時には手元グリップ部に延長パイプを接続し、その他端に床用吸込具を取り付けて使用し、すみなどの掃除時には、手元グリップ部から延長パイプを外し、すみ掃除用アタッチメントを使用可能状態にセットして掃除を行い、すみなどの掃除が終って床掃除をするときには、すみ掃除用アタッチメントを収納状態に移動させて、外してあった延長パイプを接続するようにしたものがある（例えば、特許文献１参照）。
【０００３】
【特許文献１】
特許第３２１３６０８号公報（第１〜６頁、図１、図２）
【０００４】
【発明が解決しようとする課題】
上記のような電気掃除機においては、すみ掃除用アタッチメントの保管や紛失の問題は生じないが、手元グリップからの延長パイプの着脱や、すみ掃除用アタッチメントを使用状態にセットするなどしないとすみ掃除を行うことができず、不便であった。また、手元グリップ部に常にすみ掃除用アタッチメントが付いているため、通常の床掃除時に手元グリップ部が重くなり、使い勝手が良くなかった。
【０００５】
本発明は上記の課題を解決するためになされたもので、すみなどの掃除をする際の延長パイプやアタッチメント着脱あるいはアタッチメントの紛失や保管等の手間を解消することができる電気掃除機を提供することを目的とする。
【０００６】
【課題を解決するための手段】
本発明は、掃除機本体と、把持部を有する手元グリップ部と、一端が掃除機本体に接続され他端がホース接続パイプを介して手元グリップ部に接続されるホース体と、一端が手元グリップ部の一方の側に接続され他端が床用吸込具に接続される延長パイプとを備え、床用吸込具からホース接続パイプを介して掃除機本体と連通する通常吸引風路を形成した電気掃除機であって、手元グリップ部の他方の側の端部に把持部開放口を設け、ホース接続パイプを介して掃除機本体と連通する補助吸引風路を形成し、手元グリップ部にホース接続パイプを回動自在に連結したものである。
【０００７】
【発明の実施の形態】
［実施形態１］
図１は本発明の実施の形態１に係る電気掃除機により通常の床掃除を行っている状態を示す斜視図、図２は図１の手元グリップ部の断面図である。
本実施の形態に係る電気掃除機は、図１に示すように、電気掃除機本体１、その内部に配設された電動送風機２及び集塵室３、手元グリップ部４、一端を電気掃除機本体１に接続し他端をホース接続パイプ１３を介して手元グリップ部４に接続したホース５、床用吸込具６、及び一端が手元グリップ部４に接続され他端に床用吸込具６が接続された延長パイプ７によって構成されている。
【０００８】
この電気掃除機の手元グリップ部４の構成について詳述すると、図２に示すように、手元グリップ部４には把持部８が設けられており、この把持部８は先端部になるにしたがって細くなるように内側に湾曲して形成され、先端部に把持部開放口９が開口され、ここから後述の側壁開口部１２に向って補助吸引風路１０が形成されている。また、手元グリップ部４の内側の湾曲壁１１側には側壁開口部１２が設けられ、この側壁開口部１２にはホース接続パイプ１３に設けた凹溝状の連結部１４が嵌合して連結され、手元グリップ部４は連結部１４を支点としてホース接続パイプ１３の周りに自在に回動することができるようになっている。なお、ホース接続パイプ１３の他端にはホース５の一端が接続されている。
【０００９】
次に、作用を説明する。通常の掃除時は、図１に示すように、延長パイプ７の先端に床用吸込具６を接続し、床等のゴミは、通常の吸引風路１５によって吸引される。すなわち、床用吸込具６によって吸い込まれたゴミは、延長パイプ７、手元グリップ部４の一部を通り、ホース接続パイプ１３を介してホース５を通って電気掃除機本体１に吸引される（図のイ方向）。
【００１０】
その際、把持部８内においては、図２に示すように、補助吸引風路１０はホース接続パイプ１３とホース５を介して電気掃除機本体１と連通しているため、把持部開放口９から補助吸引風路１０を通って外気が導入される。そのため、電気掃除機による排気時や掃除時に巻き上げられた浮遊塵埃も把持部開放口９から吸引され、補助吸込風路１０を通って電気掃除機本体１に吸引される（図のロ方向）。
【００１１】
床用吸込具６が使用できないような隙間やすみなどを掃除する際には、手元グリップ部４を、ホース接続パイプ１３を軸にして１８０゜回転させ、図３、図４に示すように、手元グリップ部４の把持部開放口９を隙間やすみなどに向けて延長パイプ７側を把持する。その際も、把持部開放口９は吸引力を有しており、かつ、把持部８は細い棒状に形成されているので、把持部開放口９を床用吸込具６よりも狭い隙間に進入させることができ、容易に隙間やすみなどを掃除することができる。また、床用吸込具６からも吸引は行われているため、この状態でも浮遊塵埃を吸引することができる。
通常の床掃除に戻すには、手元グリップ部４をホース接続パイプ１３を軸にして１８０゜回転させればよい。
【００１２】
［実施の形態２］
図５及び図６はそれぞれ、本発明の実施の形態２に係る電気掃除機の手元グリップ部の説明図である。なお、実施の形態１と同一または相当する部分には同じ符号を付し、説明を省略する。手元グリップ部４の側壁開口部１２にはホース接続パイプ１３の連結部１４が嵌合して連結しており、手元グリップ部４はホース接続パイプ１３の周りに自在に回動できるようになっている。
【００１３】
そして、ホース接続パイプ１３には、連結部１４から手元グリップ部４内に挿入される部分が湾曲して形成され、先端部が斜めに切除されてその外周が手元グリップ部４の大径部の内壁に接触するように構成されており、手元グリップ４を回動することによって掃除機本体１と連通するそれぞれの風路を切り替える風路切替孔１７を備えた風路切替弁部１６が形成されている。
【００１４】
次に、作用を説明する。通常の床掃除時は、図５に示すように、延長パイプ７の先端部に床用吸込具６を接続して掃除を行うが、把持部８内はホース接続パイプ１３の風路切替弁部１６によって塞がれているため、ホース接続パイプ１３と把持部開放口９とは連通していない。そのため、掃除機本体１からの吸引力はすべて通常吸引風路１５を介して床用吸込具６にもたらされ（図のイ方向）、効率よく床掃除を行うことができる。
【００１５】
床用吸込具６が使用できない隙間やすみなどを掃除する際には、手元グリップ部４をホース接続パイプ１３を軸にして１８０゜回転させると、図６に示すように、補助吸引風路１０がホース接続パイプ１３を介して掃除機本体１と連通し、延長パイプ７側はホース接続パイプ１３の風路切替弁部１６によって塞がれているため掃除機本体１と連通しなくなる。そのため、掃除機本体１からの吸引力はすべて補助吸引風路１０を介して把持部開放口９にもたらされ（図のロ方向）、効率よく隙間掃除を行うことができる。
通常の床掃除に復帰する際は、再び手元グリップ部４をホース接続パイプ１３を軸にして１８０゜回転させれば、図５に示すように、風路切替部１６によって接続パイプ７側が掃除機本体１と連通するようになり、床掃除を行うことができる。
【００１６】
また、フローリング上の掃除などさほど吸引力を必要としない場合には、手元グリップ部４を１８０゜回転させずに途中まで回転させるようにすれば、把持部開放口９側も若干の吸引力を有し、浮遊塵埃を吸引することができる。
【００１７】
［実施の形態３］
図７及び図８はそれぞれ、本発明の実施の形態３に係る電気掃除機の手元グリップ部の説明図、図９は図７のＡ−Ａ矢視断面図である。なお、実施の形態２と同一または相当する部分には同じ符号を付し、説明を省略する。手元グリップ部４の側壁開口部１２には筒状の支持部２１が突設されており、ホース接続パイプ１３が支持部２１に嵌入されて着脱自在に支持されている。ホース接続パイプ１３にはそれぞれの風路を切り替える風路切替孔１７を備えた風路切替弁部１６が設けられており、その側壁はほぼＬ状に屈曲してその屈曲部２２が手元グリップ部４の大径部の内壁に接触した状態で取り付けられている。
【００１８】
次に、作用を説明する。床掃除時は、図７に示すように、延長パイプ７の先端に床用吸込具６を接続し、床用吸込具７からイ方向に吸引して掃除を行う。すみなどを掃除するときは、図８に示すように、手元グリップ部４からホース接続パイプ１３を引き抜いて分離し、手元グリップ部４の向きを変更して、再度、ホース接続パイプ１３を手元グリップ部４に接続し、この状態で、把持部開放口９から吸引して掃除を行う。
このように、手元グリップ部４とホース接続パイプ１３とを着脱自在に構成したので、手元グリップ部４の向きを変更することによって、実施の形態２で示した効果とほぼ同様の効果を得ることができる。
【００１９】
［実施の形態４］
図１０、図１１はそれぞれ本発明の実施の形態４に係る電気掃除機の手元グリップ部の説明図である。本実施の形態では、実施の形態２で示した電気掃除機の把持部開放口９に蓋体弁２３を取り付けたものである。なお、実施の形態２と同一または相当する部分には同じ符号を付し、説明を省略する。ホース手元グリップ部４の把持部開放口９の内側近傍には、回動支点２４を備えた蓋体弁２３が設けられており、例えばバネ等（図示せず）で把持部開放口９を常時閉じる方向に付勢され、把持部開放口９に設けたストッパ９ａにより把持部８の内部方向にのみ可動するようになっている。
【００２０】
次に、作用を説明する。床掃除時は、図１０に示すように、補助吸引風路１０は掃除機本体１と連通していないため、蓋体弁２３はバネ等で付勢されて把持部開放口９をふさぐ状態となっている。隙間などの掃除時は、図１１に示すように、補助吸引風路１０が掃除機本体１と連通して掃除機本体１方向に吸引されるために、蓋体弁２３は回動支点２４を軸として補助吸込風路１０側に開放される。
【００２１】
このように本実施の形態によれば、把持部８側を隙間などの掃除に使用しない床掃除時は、図１０に示すように、把持部開放口９が蓋体弁２３で塞がれてゴミの進入をふせいでおり、外見も見栄えがよい。隙間などの掃除時は、図１１に示すように、蓋体弁２３は掃除機本体１によって吸引されて自動的に開放するため、余分な手間をかける必要はない。
なお、上記の構成において、蓋体弁２３を自動ではなく手動で切り替えるようにしてもよい。
【００２２】
［実施の形態５］
図１２は本発明の実施の形態５に係る電気掃除機の手元グリップ部を示す説明図、図１３は図１２のＢ−Ｂ矢視断面図である。なお、実施の形態２と同一または相当部分には同じ符号を付し、説明を省略する。手元グリップ部４の側壁開口部１２の外周には回動支持部２５が設けられており、側壁開口部１２に貫入したホース接続パイプ１３を回動支持部２５が回動自在に支持している。
【００２３】
回動支持部２５と手元グリップ部４との間には空隙部２５ａが形成されており、この空隙部２５ａ内にはホース接続パイプ１３のロック機構２６が設けられている。このロック機構２６は、回動支持部２５側に取り付けた回転ストッパー部２７と、ホース接続パイプ１３側に設けたストッパー溝部２８（又は穴部）によって構成されている。すなわち、回転ストッパー部２７は、回転ストッパー体２９と、回転ストッパー体２９をホース接続パイプ１３側に付勢するスプリング３０とによって形成され、ストッパー溝部２８は、１８０゜対向する位置に配置されてそれぞれ回転ストッパー体２９が嵌合する床掃除時固定溝３１及び隙間掃除時固定溝３２によって形成されている。
なお、上記の説明では、回転ストッパー部２７が手元グリップ部４側に設置されており、ストッパー溝部２８はホース接続パイプ１３側に設けてあるが、この関係は逆であってもよい。
【００２４】
次に、作用を説明する。床掃除時は、図１２に示すように、回転ストッパー体２９がスプリング３０による付勢力によってホース接続パイプ１３側に付勢されており、床掃除時固定溝３１と嵌合して手元グリップ４の回転が規制されている。隙間掃除時には、隙間掃除時側に手元グリップ部４を回動すると、回転ストッパー体２９は床掃除時固定溝３１を乗り越えて、隙間掃除時固定溝３２と嵌合する。
【００２５】
本実施の形態によれば、所定の風路が確実に形成され、使用中に手元グリップ部４に不要な力が加わった場合でも風路を保持することができる。また、手元グリップ部４を床掃除側と隙間掃除側に切り替えたときのぐらつきをなくすことが頃出きる。
なお、先に述べた実施の形態１、３、４においても、手元グリップ部４とホース接続パイプ１３とに、ロック機構を設けるようにしてもよい。
【００２６】
［実施の形態６］
図１４は本発明の実施の形態６に係る電気掃除機の手元グリップ部の説明図である。なお、実施の形態２と同一または相当する部分には同じ符号を付し、説明を省略する。手元グリップ部４の把持部開放口９近傍の内壁はテーパ状をなし、この形状は、手元グリップ部４の延長パイプ接続側の内壁や延長パイプ７の先端側の内壁とほぼ同じ形状にしてあり、把持部開放口９に、手元グリップ部４や延長パイプ７の先端部に接続するすみ掃除用アタッチメント３３等を接続できるようにしてある。
本実施の形態によれば、すみや棚などの掃除をする際に、手元グリップ部４の把持部８で掃除をしにくいときは、図１５に示すように、より掃除をし易いすみ掃除用アタッチメント３３を把持部開放口９に接続して使用することができ、便利である。
【００２７】
［実施の形態７］
図１６は本発明の実施の形態７に係る電気掃除機の手元グリップ部を示す説明図である。なお、実施の形態２と同一または相当部分には同じ符号を付し、説明を省略する。手元グリップ部４の把持部開放口９には伸縮可能なすき間掃除具３４が取り付けられている。このすき間掃除具３４は、第１伸縮部３５と第２伸縮部３６からなる二段式の伸縮構造をなし、第１伸縮部３５は手元グリップ４の把持部開放口９の内壁に沿ってスライドするように形成され、第２伸縮部３６は第１伸縮部３５の内壁に沿ってスライドするように形成されている。
【００２８】
次に、作用を説明する。床掃除時は、図１６に示すように、接続パイプ６の先端に床用吸込具６を接続して掃除を行う。このときすき間掃除具３４は把持部８内に収納されている。すみなどの掃除を行う際は、図１７に示すように、手元グリップ部４をホース接続パイプ４を軸にして回転させ、すき間掃除具３４の第１伸縮部３５、第２伸縮部３６を矢印方向に引き伸ばす。
本実施の形態によれば、すき間掃除具３４を伸縮自在に構成したので、より狭いすき間の掃除も可能になる。
【００２９】
【発明の効果】
以上の説明から明らかなように、本発明に係る電気掃除機によれば、すみや棚の上などの掃除用の吸込具では掃除しにくい場所を掃除する際に、アタッチメントを付け替えたりしないで手軽に掃除を行うことができるので、使い勝手のよい電気掃除機を得ることができる。。
【図面の簡単な説明】
【図１】本発明の実施の形態１に係る電気掃除機の斜視図である。
【図２】図１のホース手元グリップ部の説明断面図である。
【図３】図１の電気掃除機の作用説明図である。
【図４】図１の電気掃除機の他の作用説明図である。
【図５】本発明の実施の形態２に係る電気掃除機のホース手元グリップ部の説明図である。
【図６】図５のホース手元グリップ部の作用説明図である。
【図７】本発明の実施の形態３に係る電気掃除機のホース手元グリップ部の説明図である。
【図８】図７のホース手元グリップ部とホース接続パイプの分離状態を示す作用説明図である。
【図９】図７のＡ−Ａ矢視断面図である。
【図１０】本発明の実施の形態４に係る電気掃除機のホース手元グリップ部の説明図である。
【図１１】図１０のホース手元グリップ部の作用説明図である。
【図１２】本発明の実施の形態５に係る電気掃除機のホース手元グリップ部の説明図である。
【図１３】図１２のＢ−Ｂ矢視断面図である。
【図１４】本発明の実施の形態６に係る電気掃除機のホース手元グリップ部の説明図である。
【図１５】図１４の電気掃除機の作用説明図である。
【図１６】本発明の実施の形態７に係る電気掃除機のホース手元グリップ部の説明図である。
【図１７】図１６の作用説明図である。
【符号の説明】
１  掃除機本体、４  手元グリップ部、５  ホース、６  床用吸込具、７  延長パイプ、８  把持部、９  把持部開放口、１０  補助吸引風路、１３  ホース接続パイプ、１４  連結部、１５  通常の吸引風路、１６  風路切替弁部、２３蓋体弁、２６  ロック機構、３４  すき間掃除具。
【図１】
2004166889.tif 000003
【図２】
2004166889.tif 000004
【図３】
2004166889.tif 000005
【図４】
2004166889.tif 000006
【図５】
2004166889.tif 000007
【図６】
2004166889.tif 000008
【図７】
2004166889.tif 000009
【図８】
2004166889.tif 000010
【図９】
2004166889.tif 000011
【図１０】
2004166889.tif 000012
【図１１】
2004166889.tif 000013
【図１２】
2004166889.tif 000014
【図１３】
2004166889.tif 000015
【図１４】
2004166889.tif 000016
【図１５】
2004166889.tif 000017
【図１６】
2004166889.tif 000018
【図１７】
2004166889.tif 000019